(57)【要約】【課題】  スイッチの摘みを操作するスイッチノブを設けても、スイッチノブをスムースに操作できる直列ユニットを提供する。【解決手段】  直列ユニット１は、直方体状とされたケース１０を備え、該ケース１０内に切替スイッチ１７が設けられた回路基板１６が収納されている。切替スイッチ１７は、スイッチノブ１５によりケース１０の前面から操作でき、スイッチノブ１５の後側は切替スイッチ１７の摘みを挟持している。スイッチノブ１５の摺動方向に沿って、ケース１０に溝状のレール部が形成されており、スイッチノブ１５の前部から突出する摺動部がレール部に挿入されて、ケースの前面からスイッチノブ１５の前端を摺動操作した際に、摺動部が前記レール内を摺動していく。【選択図】  図５
2015220139.tif 000002
【特許請求の範囲】
【請求項１】
縦方向より横方向に長い直方体状とされ、上面あるいは下面から突出する第１端子を有するケースと、
該ケース内に横方向に収納された回路基板と、
該回路基板に設けられた切替スイッチと、
出力用の第２端子が突出するよう設けられている前記ケースの前面から前部を操作でき、後部が前記切替スイッチの摘みに係合するよう設けられたスイッチノブとを備え、
前記スイッチノブの操作方向に沿って、前記ケースにレール溝が形成されており、前記スイッチノブの前部から突出する摺動部が前記レール溝に挿入されて、前記ケースの前面から前記スイッチノブの前部を操作した際に、前記摺動部が前記レール溝内を規制されながら摺動していくことを特徴とする直列ユニット。
【請求項２】
前記スイッチノブは平面状の上板部と、該上板部の前部から起立する前側板部とからなり、前記上板部の一面には前記切替スイッチの摘みを挟持する一対の係止部が形成され、前記前側板部の前面から前記上板部にかけて突出する操作凸部が形成されており、
前記操作凸部に操作力が印加されることにより、前記スイッチノブが移動するよう操作されることに伴い、前記係止部で挟持された前記スイッチの摘みが移動して前記切替スイッチが切替操作されることを特徴とする請求項１に記載の直列ユニット。
【請求項３】
前記スイッチノブの前記前側板部の端から前記摺動部が延伸して形成されており、前記ケースの前面の角部に形成された前記レール溝に前記摺動部が嵌挿されていることを特徴とする請求項１または２に記載の直列ユニット。
【請求項４】
前記ケースには、前記切替スイッチの摘みが臨むようにほぼ矩形状の窓部が形成され、前記窓部に臨む前記切替スイッチの摘みを前記一対の係止部で挟持した際に、前記窓部の内側面に外側面が対面する一対の抱持部が前記上板部の一面に形成されており、
前記ケースの前面から前記スイッチノブの前部を操作した際に、前記抱持部が前記窓部の内側面により規制されながら摺動していくことを特徴とする請求項１ないし３のいずれかに記載の直列ユニット。
【発明の詳細な説明】
【技術分野】
【０００１】
本発明は、屋内の壁面等に設置され屋内のテレビ受信機等に受信信号を供給する直列ユニットの端子台に関する。
【背景技術】
【０００２】
直列ユニットは、一般に屋内の壁面に埋め込まれた箱状のボックスに取り付けて使用する。直列ユニットには、屋内のテレビ受信機等と同軸ケーブルで接続するための出力用の同軸端子と、壁の内部空間に配置されたアンテナ等の受信信号を導く同軸ケーブルが接続される入力用の同軸端子を備えている。従来の直列ユニットをボックスに取り付ける場合は、ボックスが壁面内に埋め込まれていることから、壁面に開口を設けることにより直列ユニットがボックスに取り付けられるようになる。従来の直列ユニットの前面には端子台が装着されており、端子台に設けられている円筒孔から、直列ユニットの前面に設けられている同軸端子が突出するようになる。
【０００３】
ところで、従来より、センタ装置から伝送されてきた下り信号を、屋内の伝送線を介して端末装置に伝送すると共に、端末装置からの上り信号を、下り信号と同じ伝送線を介してセンタ装置側に伝送する、双方向ＣＡＴＶシステムが知られている。この双方向ＣＡＴＶシステムでは、直列ユニットを使用して端末装置に下り・上りの各信号を双方向に伝送できるようにしている。ところで、直列ユニットを、上り・下りの各信号を常に双方向に伝送できるように構成すると、出力端子に、上り信号を出力することのない端末装置（テレビチューナ，テレビ受像機，ビデオテープレコーダ等）が接続されている場合や、出力端子が終端されず開放状態になっている場合には、雑音が出力端子を介して、双方向ＣＡＴＶシステムの伝送線に流入して流合雑音となって、他の上り信号と一緒にセンタ装置まで伝送されてしまうことがある。これを防止するために、直列ユニットに片方向通信モードと双方向通信モードとを切り替えるためのスイッチを備えたものがある（特許文献１，２参照）。
【先行技術文献】
【特許文献】
【０００４】
【特許文献１】特開２００２−２５６４８号公報
【特許文献２】特開２００２−１０１４０２号公報
【発明の概要】
【発明が解決しようとする課題】
【０００５】
直列ユニットは、一般に金属製のケースを備え、このケース内に回路基板を配置して，回路基板に分岐回路や上記した片方向通信モードと双方向通信モードとを切り替えるためのスイッチを設けるようにしている。この場合、ケースは高さより横方向の寸法が大きい直方体状とされることが多いことから、回路基板はケース内に横方向に配置されるようになる。また、スイッチは下面から複数本のスイッチ端子が導出され、上面に操作用の摘みが設けられている構成が一般的とされている。また、スイッチは回路基板上に立設されて設けられることが一般的であり、この回路基板が横方向に配置されるとスイッチの摘みは上方向あるいは下方向を向くようになる。この場合、スイッチは直列ユニットの前面から操作できることが求められているが、スイッチは前面方向には向かないようになる。従って、直列ユニットの前面からスイッチを操作するには、スイッチの摘みを方向を変えて操作するスイッチノブを設けて、スイッチノブを直列ユニットの前面から操作することになる。この場合、直列ユニットの前面からスイッチノブに印加された操作力の方向が変えられてスイッチの摘みに伝達されるが、操作力はスイッチノブの前側に印加され、スイッチの摘みはスイッチノブの後側で操作されることから、操作力をスイッチノブの前側に印加した際に、スイッチノブの前側の移動に引きずられるように後側が移動していくようになる。すると、スイッチノブは斜めになった状態で移動することから、スイッチノブの移動に伴い摩擦が発生してスイッチノブをスムースに操作できないという問題点があった。
【０００６】
そこで、本発明は、スイッチの摘みを操作するスイッチノブを設けても、スイッチノブをスムースに操作できる直列ユニットを提供することを目的としている。
【課題を解決するための手段】
【０００７】
本発明にかかる直列ユニットは、縦方向より横方向に長い直方体状とされ、上面あるいは下面から突出する第１端子を有するケースと、該ケース内に横方向に収納された回路基板と、該回路基板に設けられた切替スイッチと、出力用の第２端子が突出するよう設けられている前記ケースの前面から前部を操作でき、後部が前記切替スイッチの摘みに係合するよう設けられたスイッチノブとを備え、前記スイッチノブの操作方向に沿って、前記ケースにレール溝が形成されており、前記スイッチノブの前部から突出する摺動部が前記レール溝に挿入されて、前記ケースの前面から前記スイッチノブの前部を操作した際に、前記摺動部が前記レール溝内を規制されながら摺動していくことを最も主要な特徴としている。
【発明の効果】
【０００８】
本発明の直列ユニットは、スイッチノブの前部から突出する摺動部が、ケースに形成されたレール溝に挿入されて、ケースの前面からスイッチノブの前部を操作した際に、摺動部がレール溝内を規制されながら摺動していくことから、操作力をスイッチノブの前部に印加した際に、レール溝と摺動部との作用によりスイッチノブは斜めになりにくく、スイッチノブをスムースに操作することができるようになる。
【図面の簡単な説明】
【０００９】
【図１】本発明の実施例の直列ユニットの構成を示す上面図、正面図、下面図である。
【図２】本発明の実施例の直列ユニットの構成を示す背面図、側面図である。
【図３】本発明の実施例の直列ユニットの構成を示す前側の斜視図、後側の斜視図である。
【図４】本発明の実施例の直列ユニットにおいて、スイッチノブを省略した時の構成を示す下面図である。
【図５】本発明の実施例の直列ユニットにおいて、端子台を省略した時の構成を示す正面図、側面図、Ａ−Ａ線で切断した断面図で示す側面図である。
【図６】本発明の実施例の直列ユニットの構成を分解して示す斜視図、天地を逆にした斜視図である。
【図７】本発明の実施例の直列ユニットにおいて、スイッチノブを操作する状態の構成を示す正面図、下面図である。
【図８】本発明の実施例の直列ユニットにおいて、スイッチノブを操作する状態の構成を示すＣ−Ｃ線で切断した断面図である。
【図９】本発明の実施例の直列ユニットにおけるケースの構成を示す上面図、正面図、下面図である。
【図１０】本発明の実施例の直列ユニットにおけるケースの構成を示す背面図、側面図、Ｂ−Ｂ線で切断した断面図で示す側面図である。
【図１１】本発明の実施例の直列ユニットにおけるケースの構成を示す前側の斜視図、後側の斜視図である。
【図１２】本発明の実施例の直列ユニットにおけるスイッチノブの構成を示す正面図、下面図、背面図である。
【図１３】本発明の実施例の直列ユニットにおけるスイッチノブの構成を示す側面図、下面図である。
【図１４】本発明の実施例の直列ユニットにおけるスイッチノブの構成を示す前側の斜視図、後側の斜視図である。
【図１５】本発明の実施例の直列ユニットにおける蓋部の構成を示す背面図、上面図、正面図、前側の斜視図、後側の斜視図である。
【図１６】本発明の実施例の直列ユニットにおいて、レール溝および摺動部を省略した場合のスイッチノブを操作する状態の構成を示す正面図、下面図である。
【図１７】本発明の実施例の直列ユニットにおいて、レール溝および摺動部を省略した場合のスイッチノブを操作する状態の構成を示す断面図である。
【発明を実施するための形態】
【００１０】
本発明の実施例の直列ユニット１の構成を図１ないし図４に示す。図１は本発明の実施例の直列ユニットの構成を示す上面図、正面図、下面図であり、図２は本発明の実施例の直列ユニットの構成を示す背面図、側面図であり、図３は本発明の実施例の直列ユニットの構成を示す前側の斜視図、後側の斜視図であり、図４は本発明の実施例の直列ユニットにおいて、スイッチノブを省略した時の構成を示す下面図である。
これらの図に示すように、直列ユニット１は、成形により形成された金属製のケース１０と、ケース１０の前面に取り外し自在に固着された成形により形成された樹脂製の端子台２０とから構成されている。直列ユニット１は、壁面内に埋め込まれているボックスに収納されるよう取り付けられる。ケース１０の下面には入力端子１２ａが突出するよう設けられており、入力端子１２ａには壁の内部空間に配置された同軸ケーブルが装着されてＣＡＴＶシステムの下り信号、アンテナで受信された地上デジタル放送やＢＳ／ＣＳデジタル放送の受信信号などが直列ユニット１に入力される。また、ケース１０の前面にはＴＶ端子１２ｂが突出するよう設けられており、同軸端子とされたＴＶ端子１２ｂに装着された同軸ケーブルは、テレビ受像器やレコーダを含む端末装置に接続される。ＴＶ端子１２ｂからは、入力端子１２ａに入力された信号が出力されることから、ＴＶ端子１２ｂから出力されたＣＡＴＶシステムの下り信号、アンテナで受信された地上デジタル放送やＢＳ／ＣＳデジタル放送の受信信号などがテレビ受像器やレコーダに入力される。また、端末装置から出力された上り信号はＴＶ端子１２ｂに入力される。
【００１１】
ここで、ケース１０の構成の詳細を図９ないし図１１を参照して説明する。図９（ａ）（ｂ）（ｃ）はケース１０の構成を示す上面図、正面図、下面図であり、図１０（ａ）（ｂ）（ｃ）はケース１０の構成を示す背面図、側面図、Ｂ−Ｂ線で切断した断面図で示す側面図であり、図１１（ａ）（ｂ）はケース１０の構成を示す前側の斜視図、後側の斜視図である。
図９ないし図１１に示すケース１０は、金属を成形することにより作成され縦方向より横方向に長い直方体状のケース本体１１を備えている。ケース１０の前面からは同軸端子とされているＴＶ端子１２ｂが前方へ突出するよう設けられている。ケース本体１１の上面は開口１０ａされており、ケース本体１１の内側面には立設された４つのボス１１ｄが形成されており、ボス１１ｄの上面からは径が細くされた突起１１ｅが突出するよう形成されている。後述するが、突起１１ｅはケース本体１１内に収納された回路基板の取付穴に嵌挿されてボス１１ｄにより回路基板が支持されるようになる。ケース本体１１の下面からは同軸端子とされている入力端子１２ａが下方へ突出するよう形成されている。
【００１２】
また、ケース本体１１の下面にはほぼ矩形状の窓部１１ｃが形成されている。後述するが、窓部１１ｃからはケース本体１１内に収納された回路基板に設けられている切替スイッチの摘みが臨むようになる。この様子が図４に示されている。ケース本体１１の前面の下端から下面にかけてレール部１１ａが形成されている。レール部１１ａは窓部１１ｃに対応する位置に、前面の下端から下面にかけての角部を断面矩形状に切り欠くことにより形成されており、レール部１１ａの奥には横に細長いレール溝１１ｂが形成されている。さらに、ケース１０のケース本体１１の前面の両側には板状に突出した一対の取付部１３が形成されており、取付部１３には前方へ突出する縦方向にコ字状の形状とされた矩形突出部１４がそれぞれ形成されている。この矩形突出部１４により、矩形状の縦長の係合孔が取付部１３のそれぞれに形成される。取付部１３の外側の側端からは、外方へ若干突出する矩形部が形成されており、この矩形部を利用して専用枠に直列ユニット１を取り付けることができる。この専用枠を、ボックスに取り付けた際に、直列ユニット１はボックス内に収納されるようになり、ボックスの前面とＴＶ端子１２ｂおよび端子台２０の前面との面がほぼ一致するようになる。
【００１３】
図１ないし図４に戻ると、図４に示す切替スイッチ１７の摘みがケース本体１１に設けられた窓部１１ｃから臨んでおり、スイッチノブ１５で切替スイッチ１７の摘みを操作できるように、窓部１１ｃにスイッチノブ１５が取り付けられている。スイッチノブ１５は、切替スイッチ１７を操作するように設けられており、横方向に移動させることにより切替スイッチ１７を切り替えることができる。この切替スイッチ１７は、ＴＶ端子１２ｂの通信モードを、上り信号帯域をカットして下り信号のみとする片方向伝送通信モードと、上り信号帯域も通過させる双方向通信モードとのいずれかに切り替えるための切替スイッチである。
【００１４】
ここで、スイッチノブ１５の構成の詳細を図１２ないし図１４を参照して説明する。図１２（ａ）（ｂ）（ｃ）はスイッチノブ１５の構成を示す正面図、下面図、背面図であり、図１３（ａ）（ｂ）はスイッチノブ１５の構成を示す正面図、下面図、背面図であり、図１４（ａ）（ｂ）はスイッチノブ１５の構成を示す前側の斜視図、後側の斜視図である。
これらの図に示すように、スイッチノブ１５は成形により形成された樹脂製とされ、平板状とされた凸字状の上板部１５ａを備えている。上板部１５ａの前側には、上板部１５ａにほぼ直交する方向で矩形の板状に立設する前側板部１５ｂが形成され、上板部１５ａの一面の後部には、前側板部１５ｂの突出方向と同じ方向に突出する一対の抱持部１５ｄおよび一対の係止部１５ｅとが形成されている。一対の抱持部１５ｄは横長の矩形の平板状とされ、対向して形成されており、両側端が対向面側に若干突出するよう形成されている。一対の係止部１５ｅの一方は断面がほぼ矩形とされ、対向する他方は断面がほぼ矩形の部位と、この部位の対向面側の逆側から断面が長方形状とされて突出する部位とから構成されている。一対の係止部１５ｅの間に切替スイッチ１７の摘みが挟持され、一対の抱持部１５ｄの外側面が窓部１１ｃの内側面に対面するようになる。また、上板部１５ａと前側板部１５ｂのほぼ中央部にわたり断面がＬ字状とされた操作凸部１５ｃが突出して形成されている。さらに、前側板部１５ｂの下端からは厚さが若干薄くされた摺動部１５ｆが突出するよう形成されている。
【００１５】
次に、本発明にかかる直列ユニット１において、端子台２０を省略した時の構成を示す正面図、側面図、Ａ−Ａ線で切断した断面図で示す側面図を図５（ａ）（ｂ）（ｃ）に示す。
これらの図に示すように、一対の係止部１５ｅの間に切替スイッチ１７の摘みを挟持させ、一対の抱持部１５ｄの外側面が窓部１１ｃの内側面に対面するようにスイッチノブ１５を窓部１１ｃに装着した際に、スイッチノブ１５における前側板部１５ｂがケース本体１１に形成されたレール部１１ａに嵌挿され、その下端から突出するよう形成された摺動部１５ｆがレール溝１１ｂ内に嵌挿される。これにより、スイッチノブ１５を横方向に摺動させた際に、レール溝１１ｂで摺動部１５ｆが斜めにならないよう規制されながらレール溝１１ｂ内を摺動部１５ｆが摺動していき、前側板部１５ｂはレール部１１ａに沿って摺動していくようになる。また、図５（ｃ）に示すようにケース本体１１内には回路基板１６が収納されており、回路基板１６はケース本体１１内のボス１１ｄと突起１１ｅによりケース本体１１内に支持され、回路基板１６のアースはシールドケースとなるケース本体１１に電気的に接続される。回路基板１６には、フィルタ回路が設けられ、さらに直列ユニット１に分岐端子が設けられている場合には分岐回路が設けられる。このフィルタ回路は、上り信号を阻止し下り信号を通過させるフィルタとされ、切替スイッチ１７により片方向伝送通信モードに切り替えられた際に、その線路に挿入される。
【００１６】
次に、図６（ａ）（ｂ）に本発明にかかる直列ユニット１の構成を分解して示す斜視図、天地を逆にした斜視図を示す。
これらの図に示すように、直列ユニット１は、ケース１０と、スイッチノブ１５と端子台２０と、蓋部１８とからなる。蓋部１８はケース本体１１の開口１０ａを閉塞するように嵌着され、スイッチノブ１５はケース本体１１の窓部１１ｃに嵌挿されて、一対の係止部１５ｅの間に切替スイッチ１７の摘みが挟持される。また、端子台２０は、厚みの薄い直方体状とされほぼ中央にＴＶ端子１２ｂが挿通される円筒孔が形成されている台本体部２１を備えている。また、端子台２０の両側部には、先端に爪部２２ａが形成された係合片２２がそれぞれ形成されている。爪部２２ａは、係合片２２の外面に形成された段差部と、段差部から先端に行くほど尖る斜面とされたテーパ部とにより構成されている。この係合片２２は、爪部２２ａの反対側の根元だけで台本体部２１の側板に固定されていることから、係合片２２は弾性を有するように台本体部２１の側板に形成されている。そこで、この端子台２０を、円筒孔にＴＶ端子１２ｂを挿通しながらケース１０の前面に押しつけていくと、両側板の係合片２２が一対の矩形突出部１４の間に爪部２２ａで案内されながら挿通されて、矩形突出部１４により形成された矩形状の縦長の係合孔に、爪部２２ａの段差部が係合される。これにより、端子台２０がケース１０の前面に固着されるようになる。
【００１７】
ここで、ケース本体１１の開口１０ａに嵌着される蓋部１８の詳細な構成を図１５に示す。図１５（ａ）（ｂ）（ｃ）（ｄ）（ｅ）は、蓋部１８の構成を示す背面図、上面図、正面図、前側の斜視図、後側の斜視図である。
これらの図に示すように、蓋部１８は金属板を加工して形成され、ケース本体１１の開口１０ａと同形状に形成されている。蓋部１８はほぼ矩形状とされ、ケース本体１１の前面側に位置する蓋部１８の一方の角部は切欠部１８が形成されて斜辺とされ、反対側に位置する蓋部１８の両角部は丸みを帯びるように形成されている。ケース本体１１の開口１０ａの上端には開口１０ａが若干大きくなる段差部が形成されており、蓋部１８を開口１０ａに嵌着した際に、蓋部１８の周縁部が段差部に係合して固着されるようになる。この場合、蓋部１８の周縁部を接着剤で段差部に固定しても良い。
【００１８】
次に、本発明にかかる直列ユニット１において、スイッチノブ１５を操作する状態の構成を図７，図８に示す。図７（ａ）（ｂ）は、スイッチノブ１５を操作する状態の構成を示す正面図、下面図であり、図８はスイッチノブ１５を操作する状態の構成を示すＣ−Ｃ線で切断した断面図である。
図７（ａ）（ｂ）に示すように、スイッチノブ１５の操作凸部１５ｃを指で把持して横方向に力を印加していくと、スイッチノブ１５に嵌挿した切替スイッチ１７の摘み１７ａがスイッチノブ１５の移動に応じて移動していくようになり、切替スイッチ１７が切り替えられて通信モードが切り替わるようになる。例えば、片方向伝送通信モードから双方向通信モード、あるいはその逆に切り替えられるようになる。切り替える際には、図８に示すようにスイッチノブ１５の先端の操作凸部１５ｃに操作力が印加され、切替スイッチ１７の摘み１７ａを動かす作用部（一対の係止部１５ｅ）がスイッチノブ１５の後部に位置しているので、作用部の位置が操作力が印加される位置から離れていることになる。すると、操作凸部１５ｃに横方向に移動させる操作力を印加すると、操作凸部１５ｃの移動に引きずられるように摘み１７ａを挟持する一対の係止部１５ｅが動いていくようになる。この場合、一対の抱持部１５ｄの外側面がケース本体１１に開けられた窓部１１ｃの内側面で斜めにならないよう規制されながら摺動していくと共に、スイッチノブ１５の前側板部１５ｂがレール部１１ａを、摺動部１５ｆがレール溝１１ｂで斜めにならないよう規制されながら摺動していき、一対の抱持部１５ｄおよび前側板部１５ｂ、摺動部１５ｆが摺動方向に長い形状とされていることから、スイッチノブ１５は窓部１１ｃおよびレール溝１１ｂの作用により斜めになることが極力防止される結果、スムースに摺動していき、切替スイッチ１７をスムースに切り替えることができる。
【００１９】
ここで、図１６，図１７を参照してレール溝１１ｂを省略したケース本体１１’とすると共に、摺動部１５ｆを省略したスイッチノブ１５’とした際の直列ユニット１’における切替スイッチ１７の切り替えを対比して説明する。図１６（ａ）（ｂ）はレール溝１１ｂおよび摺動部１５ｆを省略した場合のスイッチノブ１５’を操作する状態の構成を示す正面図、下面図であり、図１７はレール溝１１ｂおよび摺動部１５ｆを省略した場合のスイッチノブ１５’を操作する状態の構成を示すｄ−ｄ線で切断した断面図である。
図１６（ａ）（ｂ）に示すように、スイッチノブ１５’の操作凸部１５ｃを指で把持して横方向に力を印加していくと、スイッチノブ１５’に嵌挿した切替スイッチ１７の摘み１７ａがスイッチノブ１５の移動に応じて移動していくようになり、切替スイッチ１７が切り替えられる。切り替える際には、上述したように作用部の位置が操作力が印加される位置から離れていることになる。すると、操作凸部１５ｃに横方向に移動させる操作力を印加すると、操作凸部１５ｃの移動に引きずられるように摘み１７ａを挟持する一対の係止部１５ｅが動いていくようになる。この場合、スイッチノブ１５’の前側板部１５ｂ’には摺動部１５ｆが形成されておらず、レール溝１１ｂも省略されているので、スイッチノブ１５の前側板部１５ｂ’は規制を受けることなく摺動していくため、操作凸部１５ｃへの操作力の印加により図示するように操作凸部１５ｃに遅れて一対の係止部１５ｅが移動するようになり、スイッチノブ１５’は斜めになってしまうようになる。なお、一対の抱持部１５ｄの外側面がケース本体１１に開けられた窓部１１ｃの内側面で規制されながら摺動していくが、この規制だけでは十分な規制力が得られず操作凸部１５ｃより一対の係止部１５ｅが遅れて移動するため、スイッチノブ１５’は斜めになってしまうようになる。すると、前側板部１５ｂ’の一部がレール部１１ａ’の内側面に摺接して摩擦力が発生すると共に、一対の抱持部１５ｄの外側面の一部がケース本体１１に開けられた窓部１１ｃの内側面に摺接して摩擦力が発生するようになり、スイッチノブ１５’をスムースに操作することができないようになる。このように、切替スイッチ１７を切り替える際には、少なくとも、摺動部１５ｆをレール溝１１ｂで斜めにならないよう規制しないと、切替スイッチ１７をスムースに切り替えることができないことがわかる。
【産業上の利用可能性】
【００２０】
以上説明した本発明にかかる直列ユニットにおいては、入力端子と、次段の直列ユニットに信号を送るための分岐端子と、ＴＶ端子とを設けることができる。この場合、分岐端子は、ケース本体の下面に入力端子とほぼ平行に設けたり、ケース本体の上面に設けるようにすることができる。
また、切替スイッチは、直列ユニットの前面から端子台を取り外すことにより、直列ユニットの前面からスイッチノブを操作することができ、容易に通信モードの切替操作をすることができる。この場合、端子台は両側板に設けられた一対の係合片でケースに固着されていることから、係合片の係合を解除することにより、ケースから容易に端子台を取り外すことができる。
【符号の説明】
【００２１】
１，１’  直列ユニット、１０  ケース、１０ａ  開口、１１，１１’  ケース本体、１１ａ，１１ａ’  レール部、１１ｂ  レール溝、１１ｃ  窓部、１１ｄ  ボス、１１ｅ  突起、１２ａ  入力端子、１２ｂ  ＴＶ端子、１３  取付部、１４  矩形突出部、１５，１５’  スイッチノブ、１５ａ  上板部、１５ｂ，１５ｂ’  前側板部、１５ｃ  操作凸部、１５ｄ  抱持部、１５ｅ  係止部、１５ｆ  摺動部、１６  回路基板、１７  切替スイッチ、１７ａ  摘み、１８  切欠部、１８  蓋部、２０  端子台、２１  台本体部、２２  係合片、２２ａ  爪部
【図１】
2015220139.tif 000003
【図２】
2015220139.tif 000004
【図３】
2015220139.tif 000005
【図４】
2015220139.tif 000006
【図５】
2015220139.tif 000007
【図６】
2015220139.tif 000008
【図７】
2015220139.tif 000009
【図８】
2015220139.tif 000010
【図９】
2015220139.tif 000011
【図１０】
2015220139.tif 000012
【図１１】
2015220139.tif 000013
【図１２】
2015220139.tif 000014
【図１３】
2015220139.tif 000015
【図１４】
2015220139.tif 000016
【図１５】
2015220139.tif 000017
【図１６】
2015220139.tif 000018
【図１７】
2015220139.tif 000019